(57)【特許請求の範囲】
【請求項１】
ランドトラック及びグルーブトラックの両方に情報を記録するダブルスパイラル構造の少なくとも第１の記録層と第２の記録層とを有するディスク状の光記録媒体に情報を記録する情報記録装置であって、
前記各記録層に形成されるランドトラック及びグルーブトラックに情報を記録する記録手段と、
少なくとも前記第１の記録層及び前記第２の記録層の一部を含む半径方向に分割された複数ゾーンに情報を記録すると共に、各ゾーン内で隣接する前記記録層に形成されたランドトラック及びグルーブトラックの記録方向が互いに異なるように情報を記録するように記録手段を制御する制御手段と、
を備え、
前記制御手段は、前記記録層のうち第１の記録層では、前記ランドトラック又は前記グルーブトラックの何れかに前記光記録媒体の外周から内周に向かう方向に第１の情報を記録するように前記記録手段を制御し、前記記録層のうち第２の記録層では、前記ランドトラック又は前記グルーブトラックの何れかに前記光記録媒体の内周から外周に向かう方向に前記第１の情報に続く第２の情報を記録するように前記記録手段を制御することを特徴とする情報記録装置。
【請求項２】
ランドトラック及びグルーブトラックの両方に情報を記録するダブルスパイラル構造の少なくとも第１の記録層と第２の記録層とを有するディスク状の光記録媒体に情報を記録する情報記録方法であって、
前記各記録層に形成されるランドトラック及びグルーブトラックに情報を記録する記録工程と、
少なくとも前記第１の記録層及び前記第２の記録層の一部を含む半径方向に分割された複数ゾーンに情報を記録すると共に、各ゾーン内で隣接する前記記録層に形成されたランドトラック及びグルーブトラックの記録方向が互いに異なるように情報を記録するように制御する制御工程と、
を備え、
前記制御工程において、前記記録層のうち第１の記録層では、前記ランドトラック又は前記グルーブトラックの何れかに前記光記録媒体の外周から内周に向かう方向に第１の情報を記録するように制御し、前記記録層のうち第２の記録層では、前記ランドトラック又は前記グルーブトラックの何れかに前記光記録媒体の内周から外周に向かう方向に前記第１の情報に続く第２の情報を記録するように制御することを特徴とする情報記録方法。
【請求項３】
ランドトラック及びグルーブトラックの両方に情報を記録するダブルスパイラル構造の少なくとも第１の記録層と第２の記録層とを有する光記録媒体の情報を再生する情報再生装置であって、
前記第１の記録層及び前記第２の記録層の一部を少なくとも含む半径方向に分割されたゾーン毎に前記情報を再生すると共に、前記ゾーン内で隣接する前記各記録層に形成されたランドトラック及びグルーブトラックでは互いに異なる方向に情報を再生する再生手段と、
前記再生手段によりピックアップの焦点を一記録層に形成されたランドトラック又はグルーブトラックの何れかから隣接する記録層に形成されたランドトラック又はグルーブトラックの何れかへ移動させるフォーカスジャンプ手段と、
前記グルーブトラックと前記ランドトラックとの間での読み取りトラックの切り換えに応じてトラッキングの極性を切り換える極性切換手段と、
前記ゾーン内における一記録層に形成されたランドトラック又はグルーブトラックの何れかの再生を終えた後に、前記極性切替手段により前記トラッキングの極性を切り換えて当該ゾーン内の他の記録層に形成されたランドトラック又はグルーブトラックの何れかへ前記ピックアップの焦点を移動するように前記フォーカスジャンプ手段を制御する制御手段と、
を備えることを特徴とする情報再生装置。
【請求項４】
ランドトラック及びグルーブトラックの両方に情報を記録するダブルスパイラル構造の少なくとも第１の記録層と第２の記録層とを有する光記録媒体の情報を再生する情報再生方法であって、
前記第１の記録層及び前記第２の記録層の一部を少なくとも含む半径方向に分割されたゾーン毎に前記情報を再生すると共に、前記ゾーン内で隣接する前記各記録層に形成されたランドトラック及びグルーブトラックでは互いに異なる方向に情報を再生する再生工程と、
前記再生工程においてピックアップの焦点を一記録層に形成されたランドトラック又はグルーブトラックの何れかから隣接する記録層に形成されたランドトラック又はグルーブトラックの何れかへ移動させるフォーカスジャンプ工程と、
前記グルーブトラックと前記ランドトラックとの間での読み取りトラックの切り換えに応じてトラッキングの極性を切り換える極性切換工程と、
前記ゾーン内における一記録層に形成されたランドトラック又はグルーブトラックの何れかの再生を終えた後に、前記極性切替工程において前記トラッキングの極性を切り換えて当該ゾーン内の他の記録層に形成されたランドトラック又はグルーブトラックの何れかへ前記ピックアップの焦点を移動するように制御する制御工程と、
を備えることを特徴とする情報再生方法。
【発明の詳細な説明】
【０００１】
【発明の属する技術分野】
本発明は、複数の記録層を有する光記録媒体に情報を記録する情報記録装置等に関する。
【０００２】
【従来の技術】
記録可能な光記録媒体として、ＤＶＤ−ＲＡＭディスクが知られている。このディスクは単独の記録層を有する、いわゆるランド・グルーブ・シングル・スパイラル構造を採り、１回転に１回、案内溝（グルーブ）を１トラック分オフセットさせることにより、ランドとグルーブとを交互に接続させて１つのスパイラルを形成するようにしている。このスパイラルをトレースすることにより、すべてのランドとグルーブを連続してトレースすることが可能となる。したがって、物理アドレスはランドトラックとグルーブトラックとで交互に更新する。
【０００３】
【発明が解決しようとする課題】
しかし、上記のＤＶＤ―ＲＡＭは単独の記録層を備えるものであるため、記録容量を増加させるためには、記録層を複数設ける必要がある。かつ、再生を容易なものとすることが出来る複数の記録層を有する光記録媒体に情報を記録する情報記録装置等を提供することを目的とする。
【０００４】
【課題を解決するための手段】
上記課題を解決するために、請求項１に記載の発明は、ランドトラック及びグルーブトラックの両方に情報を記録するダブルスパイラル構造の少なくとも第１の記録層と第２の記録層とを有するディスク状の光記録媒体に情報を記録する情報記録装置であって、前記各記録層に形成されるランドトラック及びグルーブトラックに情報を記録する記録手段と、少なくとも前記第１の記録層及び前記第２の記録層の一部を含む半径方向に分割された複数ゾーンに情報を記録すると共に、各ゾーン内で隣接する前記記録層に形成されたランドトラック及びグルーブトラックの記録方向が互いに異なるように情報を記録するように記録手段を制御する制御手段と、を備え、前記制御手段は、前記記録層のうち第１の記録層では、前記ランドトラック又は前記グルーブトラックの何れかに前記光記録媒体の外周から内周に向かう方向に第１の情報を記録するように前記記録手段を制御し、前記記録層のうち第２の記録層では、前記ランドトラック又は前記グルーブトラックの何れかに前記光記録媒体の内周から外周に向かう方向に前記第１の情報に続く第２の情報を記録するように前記記録手段を制御することを特徴とする。
【０００５】
この情報記録装置によれば、ゾーン内における一記録層に形成されたランドトラック又はグルーブトラックの何れかに記録を終えた後に、当該ゾーン内の隣接する記録層に形成された当該ランドトラック又は当該グルーブトラックの何れかへピックアップの焦点を移動させ、更に互いに隣接する記録層に形成された当該ランドトラック又は当該グルーブトラックの何れかの記録方向を互いに異ならせることにより、ゾーン内の複数の記録層に形成された当該ランドトラック及び当該グルーブトラックの記録が可能となり、ピックアップを半径方向に大きく移動させる情報を記録することができる。
【０００６】
上記課題を解決するために、請求項２に記載の発明は、ランドトラック及びグルーブトラックの両方に情報を記録するダブルスパイラル構造の少なくとも第１の記録層と第２の記録層とを有するディスク状の光記録媒体に情報を記録する情報記録方法であって、前記各記録層に形成されるランドトラック及びグルーブトラックに情報を記録する記録工程と、少なくとも前記第１の記録層及び前記第２の記録層の一部を含む半径方向に分割された複数ゾーンに情報を記録すると共に、各ゾーン内で隣接する前記記録層に形成されたランドトラック及びグルーブトラックの記録方向が互いに異なるように情報を記録するように制御する制御工程と、を備え、前記制御工程において、前記記録層のうち第１の記録層では、前記ランドトラック又は前記グルーブトラックの何れかに前記光記録媒体の外周から内周に向かう方向に第１の情報を記録するように制御し、前記記録層のうち第２の記録層では、前記ランドトラック又は前記グルーブトラックの何れかに前記光記録媒体の内周から外周に向かう方向に前記第１の情報に続く第２の情報を記録するように制御することを特徴とする。
【０００７】
この情報記録方法によれば、ゾーン内における一記録層に形成されたランドトラック又はグルーブトラックの何れかの記録を終えた後に、当該ゾーン内の隣接する記録層に形成された当該ランドトラック又は当該グルーブトラックの何れかへピックアップの焦点を移動させ、更に互いに隣接する記録層に形成された当該ランドトラック及び当該グルーブトラックの記録方向を互いに異ならせることにより、ゾーン内の複数の記録層に形成された当該ランドトラック及び当該グルーブトラックの記録が可能となり、ピックアップを半径方向に大きく移動させることなく情報の記録が可能となる。
【０００８】
上記課題を解決するために、請求項３に記載の発明は、ランドトラック及びグルーブトラックの両方に情報を記録するダブルスパイラル構造の少なくとも第１の記録層と第２の記録層とを有する光記録媒体の情報を再生する情報再生装置であって、前記第１の記録層及び前記第２の記録層の一部を少なくとも含む半径方向に分割されたゾーン毎に前記情報を再生すると共に、前記ゾーン内で隣接する前記各記録層に形成されたランドトラック及びグルーブトラックでは互いに異なる方向に情報を再生する再生手段と、前記再生手段によりピックアップの焦点を一記録層に形成されたランドトラック又はグルーブトラックの何れかから隣接する記録層に形成されたランドトラック又はグルーブトラックの何れかへ移動させるフォーカスジャンプ手段と、前記グルーブトラックと前記ランドトラックとの間での読み取りトラックの切り換えに応じてトラッキングの極性を切り換える極性切換手段と、前記ゾーン内における一記録層に形成されたランドトラック又はグルーブトラックの何れかの再生を終えた後に、前記極性切替手段により前記トラッキングの極性を切り換えて当該ゾーン内の他の記録層に形成されたランドトラック又はグルーブトラックの何れかへ前記ピックアップの焦点を移動するように前記フォーカスジャンプ手段を制御する制御手段と、を備えることを特徴とする。
【０００９】
この情報再生装置によれば、ゾーン内における一記録層に形成されたランドトラック又はグルーブトラックの何れかの再生を終えた後に、当該ゾーン内の隣接する記録層に形成されたランドトラック又はグルーブトラックの何れかへピックアップの焦点を移動させ、更に互いに隣接する記録層に形成されたランドトラック及びグルーブトラックの再生方向を互いに異ならせることにより、ゾーン内の複数の記録層に形成されたランドトラック及びグルーブトラックの再生が可能となり、ピックアップを半径方向に大きく移動させることなく情報の再生が可能となる。
【００１０】
上記課題を解決するために、請求項４に記載の発明は、ランドトラック及びグルーブトラックの両方に情報を記録するダブルスパイラル構造の少なくとも第１の記録層と第２の記録層とを有する光記録媒体の情報を再生する情報再生方法であって、前記第１の記録層及び前記第２の記録層の一部を少なくとも含む半径方向に分割されたゾーン毎に前記情報を再生すると共に、前記ゾーン内で隣接する前記各記録層に形成されたランドトラック及びグルーブトラックでは互いに異なる方向に情報を再生する再生工程と、前記再生工程においてピックアップの焦点を一記録層に形成されたランドトラック又はグルーブトラックの何れかから隣接する記録層に形成されたランドトラック又はグルーブトラックの何れかへ移動させるフォーカスジャンプ工程と、前記グルーブトラックと前記ランドトラックとの間での読み取りトラックの切り換えに応じてトラッキングの極性を切り換える極性切換工程と、前記ゾーン内における一記録層に形成されたランドトラック又はグルーブトラックの何れかの再生を終えた後に、前記極性切替工程において前記トラッキングの極性を切り換えて当該ゾーン内の他の記録層に形成されたランドトラック又はグルーブトラックの何れかへ前記ピックアップの焦点を移動するように制御する制御工程と、を備えることを特徴とする。
【００１１】
この情報再生方法によれば、ゾーン内における一記録層に形成されたランドトラック又はグルーブトラックの何れかの再生を終えた後に、当該ゾーン内の隣接する記録層に形成されたランドトラック又はグルーブトラックの何れかへピックアップの焦点を移動させ、更に互いに隣接する記録層に形成されたランドトラック及びグルーブトラックの再生方向を互いに異ならせることにより、ゾーン内の複数の記録層に形成されたランドトラック及びグルーブトラックの再生が可能となり、ピックアップを半径方向に大きく移動させることなく情報の再生が可能となる。
【００３０】
なお、本発明の理解を容易にするために添付図面の参照符号を括弧書きにて付記するが、それにより本発明が図示の形態に限定されるものではない。
【００３１】
【発明の実施の形態】
−第１の実施形態−
以下、図１〜図３を参照して、本発明の光記録媒体の第１の実施形態について説明する。
【００３２】
図１は第１の実施形態の光記録媒体としての光ディスクの記録層の構成を模式的に示す図、図２は各記録層の構成を模式的に示す図である。図１に示すように光ディスク１００は順次積層される第１の記録層１、第２の記録層２、第３の記録層３および第４の記録層４を備える。第１の記録層１にはグルーブトラック１Ａおよびランドトラック１Ｂが、第２の記録層２にはグルーブトラック２Ａおよびランドトラック２Ｂが、第３の記録層３にはグルーブトラック３Ａおよびランドトラック３Ｂが、第４の記録層４にはグルーブトラック４Ａおよびランドトラック４Ｂが、それぞれ螺旋状に形成されている。すなわち、各記録層はグルーブトラックおよびランドトラックの両方に情報を記録可能なダブルスパイラル構造を有する。
【００３３】
図２（ａ）および図２（ｃ）に示すように第１の記録層１および第３の記録層３は正方向のスパイラル構造を、図２（ｂ）および図２（ｄ）に示すように第２の記録層２および第４の記録層４は逆方向のスパイラル構造を、それぞれとる。なお、図２においてスパイラルの正方向および逆方向は便宜的に定めたものであり、スパイラルの正逆は互いに逆方向であることを意味するに過ぎない。スパイラルの正方向あるいは逆方向は絶対的な方向を定めるものではない。
【００３４】
図１および図２（ａ）に示すように、第１の記録層１のグルーブトラック１Ａおよびランドトラック１Ｂには、それぞれ光ディスク１００の内周から外周に向かう方向に情報が記録される。図１および図２（ｂ）に示すように、第２の記録層２のグルーブトラック２Ａおよびランドトラック２Ｂには、それぞれ光ディスク１００の外周から内周に向かう方向に情報が記録される。図１および図２（ｃ）に示すように、第３の記録層３のグルーブトラック３Ａおよびランドトラック３Ｂには、それぞれ光ディスク１００の内周から外周に向かう方向に情報が記録される。図１および図２（ｄ）に示すように、第４の記録層４のグルーブトラック４Ａおよびランドトラック４Ｂには、それぞれ光ディスク１００の外周から内周に向かう方向に情報が記録される。図２（ａ）〜（ｄ）に示す矢印Ｐ１〜Ｐ４は、それぞれ第１〜第４の記録層における記録方向（再生方向）を示している。
【００３５】
図１に示すように、光ディスク１００における物理アドレスは、第１の記録層１のグルーブトラック１Ａ、第２の記録層２のグルーブトラック２Ａ、第１の記録層１のランドトラック１Ｂ、第２の記録層２のランドトラック２Ｂ、第３の記録層３のランドトラック３Ｂ、第４の記録層４のランドトラック４Ｂ、第３の記録層３のグルーブトラック３Ａ、第４の記録層４のグルーブトラック４Ａの順に割当てられている。
【００３６】
図３は光ディスク１００に情報を記録するとともに、光ディスク１００に記録された情報を再生する情報記録再生装置５０の構成を示すブロック図である。図３に示すように、情報記録再生装置５０はレーザー光５１Ａにより光ディスク１００の各記録層に情報を書き込むとともに各記録層の情報を読み取るピックアップ５１と、ピックアップ５１からの情報に基づいてトラッキングのずれを検出するトラッキング検出回路５２と、グルーブトラックとランドトラックとの間での読み取りトラックの切換えに応じてトラッキングの極性を切換える極性切換回路５３と、トラッキング検出回路５２から出力された信号を整形する位相補償回路５４と、位相補償回路５４からの信号を受ける駆動回路５５と、駆動回路５５からの信号を受けてピックアップ５１を駆動し、これによりトラッキングを調整するトラッキングアクチュエータ５６と、ピックアップ５１からの情報に基づいてフォーカスのずれを検出するフォーカス検出回路５８と、フォーカス検出回路５８の信号を整形する位相補償回路５９と、フォーカスジャンプを制御するフォーカスジャンプ制御回路６０と、位相補償回路５９またはフォーカスジャンプ制御回路６０からの信号を受ける駆動回路６１と、駆動回路６１に入力する信号として位相補償回路５９およびフォーカスジャンプ制御回路６０の出力信号のいずれかを選択する選択スイッチ６２と、駆動回路６１からの信号を受けてピックアップ５１のフォーカスを調整するフォーカスアクチュエータ６３と、情報再生装置５０の各部を制御するＣＰＵ６５とを備える。
【００３７】
図３に示すように、ＣＰＵ６５は極性切換回路５３に向けてトラッキングの極性を切換える指令を送出する。また、ＣＰＵ６５はフォーカスジャンプ制御回路６０に向けてレーザー光の焦点を別の記録層にジャンプさせるためのフォーカスジャンプの指令を送出する。
【００３８】
次に、光ディスク１００に記録された情報の読み取り方法について説明する。
【００３９】
光ディスク１００に記録された情報を上記の物理アドレス順に読み取る場合には、まず、光ディスク１００を図２（ａ）〜図２（ｄ）の各図について反時計回り方向に回転させつつ、ピックアップを光ディスク１００の内周から外周に向けて移動させることにより、第１の記録層１のグルーブトラック１Ａに記録された情報を所定の順序で読み取る。以下、光ディスク１００を同一方向に回転させ続ける。
【００４０】
次に、フォーカスジャンプによりピックアップの焦点を第１の記録層１から第２の記録層２に移動し、ピックアップを光ディスク１００の外周から内周に向けて移動させることにより、第２の記録層２のグルーブトラック２Ａに記録された情報を所定の順序で読み取る。
【００４１】
次に、フォーカスジャンプによりピックアップの焦点を第２の記録層２から第１の記録層１に移動するとともにトラッキングの極性を切換える。次いで、ピックアップを光ディスク１００の内周から外周に向けて移動させることにより、第１の記録層１のランドトラック１Ｂに記録された情報を所定の順序で読み取る。
【００４２】
次に、フォーカスジャンプによりピックアップの焦点を第１の記録層１から第２の記録層２に移動し、ピックアップを光ディスク１００の外周から内周に向けて移動させることにより、第２の記録層２のランドトラック２Ｂに記録された情報を所定の順序で読み取る。
【００４３】
次に、フォーカスジャンプによりピックアップの焦点を第２の記録層２から第３の記録層３に移動し、ピックアップを光ディスク１００の内周から外周に向けて移動させることにより、第３の記録層３のランドトラック３Ｂに記録された情報を所定の順序で読み取る。
【００４４】
次に、フォーカスジャンプによりピックアップの焦点を第３の記録層３から第４の記録層４に移動し、ピックアップを光ディスク１００の外周から内周に向けて移動させることにより、第４の記録層４のランドトラック４Ｂに記録された情報を所定の順序で読み取る。
【００４５】
次に、フォーカスジャンプによりピックアップの焦点を第４の記録層４から第３の記録層３に移動するとともにトラッキングの極性を切換える。次いで、ピックアップを光ディスク１００の内周から外周に向けて移動させることにより、第３の記録層３のグルーブトラック３Ａに記録された情報を所定の順序で読み取る。
【００４６】
次に、フォーカスジャンプによりピックアップの焦点を第３の記録層３から第４の記録層４に移動し、ピックアップを光ディスク１００の外周から内周に向けて移動させることにより、第４の記録層４のランドトラック４Ｂに記録された情報を所定の順序で読み取る。
【００４７】
以上のように、第１〜第４の記録層のグルーブトラックおよびランドトラックに記録された情報は、光ディスク１００を同一方向に回転させつつ、ピックアップをディスクに対してディスクの半径方向に相対的に移動させることにより、物理アドレスの順序で読み取ることができる。また、各トラックにおける記録方向が、物理アドレス順に、光ディスク１００の内周から外周へ向かう方向と、外周から内周へ向かう方向との間で繰り返されるので、ピックアップを光ディスク１００の半径方向に短時間で大きく移動させる必要はなく、順次トラックをトレースするのみでフォーカスジャンプを行うことで読み取りトラックを切換えることができる。また、グルーブトラックあるいはランドトラックがなるべく連続するように物理アドレスを定めることにより、読み取りトラックの切換え時におけるトラッキング極性の切換え回数を減らすことができる。さらに、光ディスク１００はダブルスパイラル構造の記録層を有するので、トラッキング極性を１回転ごとに頻繁に切換える必要もない。
【００４８】
また、第１〜第４の記録層のグルーブトラックおよびランドトラックに記録される情報は、光ディスク１００を同一方向に回転させつつピックアップ５１をディスクの半径方向に相対的に移動させ、レーザー光を所定のタイミングで照射することにより、物理アドレスに従った順序で情報を記録することができる。
【００４９】
−第２の実施形態−
以下、図４を参照して本発明の光記録媒体の第２の実施形態について説明する。
【００５０】
図４は第２の実施形態の光記録媒体としての光ディスクの記録層の構成を模式的に示す図である。図４に示すように光ディスク２００は互いに積層される第１の記録層１１および第２の記録層１２を備える。第１の記録層１１にはグルーブトラック１１Ａおよびランドトラック１１Ｂが、第２の記録層１２にはグルーブトラック１２Ａおよびランドトラック１２Ｂが、それぞれ螺旋状に形成されている。すなわち、各記録層はグルーブトラックおよびランドトラックの両方に情報を記録可能なダブルスパイラル構造を有する。
【００５１】
第１の記録層１は正方向のスパイラル構造を、第２の記録層２は逆方向のスパイラル構造を、それぞれとる。なお、第１の実施形態と同様、スパイラルの正逆は互いに逆方向であることを意味するに過ぎない。
【００５２】
第１の記録層１１のグルーブトラック１１Ａおよびランドトラック１１Ｂには、それぞれ光ディスク２００の内周から外周に向かう方向に情報が記録される。第２の記録層１２のグルーブトラック１２Ａおよびランドトラック１２Ｂには、それぞれ光ディスク２００の外周から内周に向かう方向に情報が記録される。
【００５３】
光ディスク２００における物理アドレスは、第１の記録層１１のランドトラック１１Ｂ、第２の記録層１２のグルーブトラック１２Ａ、第１の記録層１１のグルーブトラック１１Ａ、第２の記録層１２のランドトラック１２Ｂの順に割当てられている。
【００５４】
次に、光ディスク２００に記録された情報の読み取り方法について説明する。
【００５５】
光ディスク２００に記録された情報を上記の物理アドレス順に読み取る場合には、まず、光ディスク２００を一定の方向に回転させつつ、ピックアップを光ディスク２００の内周から外周に向けて移動させることにより、第１の記録層１１のランドトラック１１Ｂに記録された情報を所定の順序で読み取る。以下、光ディスク２００を同一方向に回転させ続ける。
【００５６】
次に、フォーカスジャンプによりピックアップの焦点を第１の記録層１１から第２の記録層１２に移動するとともにトラッキングの極性を切換える。次いで、ピックアップを光ディスク２００の外周から内周に向けて移動させることにより、第２の記録層１２のグルーブトラック１２Ａに記録された情報を所定の順序で読み取る。
【００５７】
次に、フォーカスジャンプによりピックアップの焦点を第２の記録層１２から第１の記録層１１に移動し、ピックアップを光ディスク２００の内周から外周に向けて移動させることにより、第１の記録層１１のグルーブトラック１１Ａに記録された情報を所定の順序で読み取る。
【００５８】
次に、フォーカスジャンプによりピックアップの焦点を第１の記録層１１から第２の記録層１２に移動するとともにトラッキングの極性を切換える。次いで、ピックアップを光ディスク２００の外周から内周に向けて移動させることにより、第２の記録層１２のランドトラック１２Ｂに記録された情報を所定の順序で読み取る。
【００５９】
以上のように、第１の記録層１１および第２の記録層１２のグルーブトラックおよびランドトラックに記録された情報は、光ディスク２００を同一方向に回転させつつ、ピックアップをディスクに対してディスクの半径方向に相対的に移動させることにより、物理アドレスの順序で読み取ることができる。また、各トラックにおける記録方向が、物理アドレス順に、光ディスク２００の内周から外周へ向かう方向と、外周から内周へ向かう方向との間で繰り返されるので、ピックアップを光ディスク２００の半径方向に短時間で大きく移動させる必要はなく、フォーカスジャンプを行うことで読み取りトラックを切換えることができる。また、グルーブトラックあるいはランドトラックがなるべく連続するように物理アドレスを定めることにより、読み取りトラックの切換え時におけるトラッキング極性の切換え回数を減らすことができる。
【００６０】
さらに、光ディスク２００はダブルスパイラル構造の記録層を有するので、トラッキング極性を１回転ごとに頻繁に切換える必要もない。
【００６１】
また、第１の記録層１１および第２の記録層１２のグルーブトラックおよびランドトラックに記録される情報は、光ディスク２００を同一方向に回転させつつピックアップ５１をディスクの半径方向に相対的に移動させ、所定のタイミングでレーザー光を照射することにより、物理アドレスに従った順序で情報を記録することができる。
【００６２】
−第３の実施形態−
以下、図５を参照して、本発明の光記録媒体の第３の実施形態について説明する。
【００６３】
図５は第３の実施形態の光記録媒体としての光ディスクの記録層の構成を模式的に示す図である。図５に示すように光ディスク３００は互いに積層される第１の記録層２１および第２の記録層２２を備える。第１の記録層２１にはグルーブトラック２１Ａおよびランドトラック２１Ｂが、第２の記録層２２にはグルーブトラック２２Ａおよびランドトラック２２Ｂが、それぞれ螺旋状に形成されている。すなわち、各記録層はグルーブトラックおよびランドトラックの両方に情報を記録可能なダブルスパイラル構造を有する。
【００６４】
第１の記録層２１は正方向のスパイラル構造を、第２の記録層２２は逆方向のスパイラル構造を、それぞれとる。なお、第１および第２の実施形態と同様、スパイラルの正方向および逆方向は便宜的に定めたものであり、スパイラルの正逆は互いに逆方向であることを意味するに過ぎない。
【００６５】
図５に示すように、光ディスク３００は３つのゾーンに区画されている。第１の記録層２１のグルーブトラック２１Ａは第１のゾーン２１Ａａ、第２のゾーン２１Ａｂおよび第３のゾーン２１Ａｃに分割されている。第１の記録層２１のランドトラック２１Ｂは第１のゾーン２１Ｂａ、第２のゾーン２１Ｂｂおよび第３のゾーン２１Ｂｃに分割されている。第２の記録層２２のグルーブトラック２２Ａは第１のゾーン２２Ａａ、第２のゾーン２２Ａｂおよび第３のゾーン２２Ａｃに分割されている。第２の記録層２２のランドトラック２２Ｂは第１のゾーン２２Ｂａ、第２のゾーン２２Ｂｂおよび第３のゾーン２２Ｂｃに分割されている。
【００６６】
第１のゾーンにおける物理アドレスは、第１の記録層２１のグルーブトラック２１Ａの第１のゾーン２１Ａａ、第２の記録層２２のグルーブトラック２２Ａの第１のゾーン２２Ａａ、第１の記録層２１のランドトラック２１Ｂの第１のゾーン２１Ｂａ、第２の記録層２２のランドトラック２２Ｂの第１のゾーン２２Ｂａの順に割当てられる。
【００６７】
第２のゾーンにおける物理アドレスは、第１の記録層２１のグルーブトラック２１Ａの第２のゾーン２１Ａｂ、第２の記録層２２のグルーブトラック２２Ａの第２のゾーン２２Ａｂ、第１の記録層２１のランドトラック２１Ｂの第２のゾーン２１Ｂｂ、第２の記録層２２のランドトラック２２Ｂの第２のゾーン２２Ｂｂの順に割当てられる。
【００６８】
第３のゾーンにおける物理アドレスは、第１の記録層２１のグルーブトラック２１Ａの第３のゾーン２１Ａｃ、第２の記録層２２のグルーブトラック２２Ａの第３のゾーン２２Ａｃ、第１の記録層２１のランドトラック２１Ｂの第３のゾーン２１Ｂｃ、第２の記録層２２のランドトラック２２Ｂの第３のゾーン２２Ｂｃの順に割当てられる。
【００６９】
また、第１の記録層２１のグルーブトラック２１Ａおよびランドトラック２１Ｂの各ゾーンには、それぞれ光ディスク３００の内周から外周に向かう方向に情報が記録される。第２の記録層２２のグルーブトラック２２Ａおよびランドトラック２２Ｂの各ゾーンには、それぞれ光ディスク３００の外周から内周に向かう方向に情報が記録されている。
【００７０】
次に、光ディスク３００に記録された情報の読み取り方法について説明する。
【００７１】
まず、光ディスク３００を一定の方向に回転させつつ、ピックアップを光ディスク３００の内周から外周に向けて移動させることにより、ランドトラック２１Ａの第１のゾーン２１Ａａに記録された情報を所定の順序で読み取る。以下、光ディスク３００を同一方向に回転させ続ける。
【００７２】
次に、フォーカスジャンプによりピックアップの焦点を第１の記録層２１から第２の記録層２２に移動する。次いで、ピックアップを光ディスク３００の内周に向けて移動させることにより、グルーブトラック２２Ａの第１のゾーン２２Ａａに記録された情報を所定の順序で読み取る。
【００７３】
次に、フォーカスジャンプによりピックアップの焦点を第２の記録層２２から第１の記録層２１に移動するとともに、トラッキングの極性を切換える。次いで、ピックアップを光ディスク３００の外周に向けて移動させることにより、ランドトラック２１Ｂの第１のゾーン２１Ｂａに記録された情報を所定の順序で読み取る。
【００７４】
次に、フォーカスジャンプによりピックアップの焦点を第１の記録層２１から第２の記録層２２に移動する。次いで、ピックアップを光ディスク３００の内周に向けて移動させることにより、ランドトラック２２Ｂの第１のゾーン２２Ｂａに記録された情報を所定の順序で読み取る。
【００７５】
以上のように各トラックの第１ゾーンの情報を読み取った後、ピックアップを駆動して光ディスク３００の外周方向にスライドさせるとともに、フォーカスジャンプによりピックアップの焦点を第２の記録層２２から第１の記録層２１に移動する。以下、第２のゾーンおよび第３のゾーンに記録された情報を第１のゾーンと同様の手順に従って読み取る。
【００７６】
以上のように、第１の記録層１１および第２の記録層２２のグルーブトラックおよびランドトラックに記録された情報は、光ディスク３００を同一方向に回転させつつ、ピックアップをディスクに対してディスクの半径方向に相対的に移動させることにより、物理アドレスの順序で読み取ることができる。また、各トラックにおける記録方向が、物理アドレス順に、光ディスク３００の内周から外周へ向かう方向と、外周から内周へ向かう方向との間で繰り返されるので、ピックアップを光ディスク３００の半径方向にほとんど移動させることなく、フォーカスジャンプを行うことで読み取りトラックを切換えることができる。また、グルーブトラックあるいはランドトラックがなるべく連続するように物理アドレスを定めることにより、読み取りトラックの切換え時におけるトラッキング極性の切換え回数を減らすことができる。
【００７７】
さらに、光ディスク３００はダブルスパイラル構造の記録層を有するので、トラッキング極性を頻繁に切換える必要もない。
【００７８】
また、第１の記録層２１および第２の記録層２２のグルーブトラックおよびランドトラックに記録される情報は、光ディスク３００を同一方向に回転させつつ記録ヘッドをディスクの半径方向に相対的に移動させることにより、物理アドレスに従った順序で情報を記録することができる。
【００７９】
なお、図５では光ディスクを３つのゾーンに区画する場合を例示しているが、ゾーンの数はこれに限定されない。数十あるいは１００以上のゾーンに区画してもよい。
【００８０】
第３の実施形態では、第１の記録層１ではディスクの内周から外周に向けて情報が記録され、第２の記録層２ではディスクの外周から内周に向けて情報が記録されているが、第１の記録層１ではディスクの外周から内周に向けて情報を記録するとともに第２の記録層２ではディスクの内周から外周に向けて情報を記録し、各トラックに割当てる物理アドレスの順序を第３の実施形態と同様としてもよい。
【００８１】
−第４の実施形態−
以下、図６を参照して、本発明の光記録媒体の第４の実施形態について説明する。
【００８２】
図６は第４の実施形態の光記録媒体としての光ディスクの記録層の構成を模式的に示す図である。図６に示すように光ディスク４００は互いに積層される第１の記録層３１および第２の記録層３２を備える。第１の記録層３１にはグルーブトラック３１Ａおよびランドトラック３１Ｂが、第２の記録層３２にはグルーブトラック３２Ａおよびランドトラック３２Ｂが、それぞれ螺旋状に形成されている。すなわち、各記録層はグルーブトラックおよびランドトラックの両方に情報を記録可能なダブルスパイラル構造を有する。
【００８３】
第１の記録層３１は正方向のスパイラル構造を、第２の記録層３２は逆方向のスパイラル構造を、それぞれとる。なお、第１〜第３の実施形態と同様、スパイラルの正方向および逆方向は便宜的に定めたものであり、スパイラルの正逆は互いに逆方向であることを意味するに過ぎない。
【００８４】
図６に示すように、光ディスク４００は第３の実施形態と同様、３つのゾーンに区画されている。第１の記録層３１のグルーブトラック３１Ａは第１のゾーン３１Ａａ、第２のゾーン３１Ａｂおよび第３のゾーン３１Ａｃに分割されている。第１の記録層３１のランドトラック３１Ｂは第１のゾーン３１Ｂａ、第２のゾーン３１Ｂｂおよび第３のゾーン３１Ｂｃに分割されている。第２の記録層３２のグルーブトラック３２Ａは第１のゾーン３２Ａａ、第２のゾーン３２Ａｂおよび第３のゾーン３２Ａｃに分割されている。第２の記録層３２のランドトラック３２Ｂは第１のゾーン３２Ｂａ、第２のゾーン３２Ｂｂおよび第３のゾーン３２Ｂｃに分割されている。
【００８５】
第１のゾーンにおける物理アドレスは、第１の記録層３１のグルーブトラック、３１Ａの第１のゾーン３１Ａａ、第２の記録層３２のグルーブトラック３２Ａの第１のゾーン３２Ａａ、第１の記録層３１のランドトラック３１Ｂの第１のゾーン３１Ｂａ、第２の記録層３２のランドトラック３２Ｂの第１のゾーン３２Ｂａの順に割当てられる。
【００８６】
第２のゾーンにおける物理アドレスは、第１の記録層３１のグルーブトラック３１Ａの第２のゾーン３１Ａｂ、第２の記録層３２のグルーブトラック３２Ａの第２のゾーン３２Ａｂ、第１の記録層３１のランドトラック３１Ｂの第２のゾーン３１Ｂｂ、第２の記録層３２のランドトラック３２Ｂの第２のゾーン３２Ｂｂの順に割当てられる。
【００８７】
第３のゾーンにおける物理アドレスは、第１の記録層３１のグルーブトラック３１Ａの第３のゾーン３１Ａｃ、第２の記録層３２のグルーブトラック３２Ａの第３のゾーン３２Ａｃ、第１の記録層３１のランドトラック３１Ｂの第３のゾーン３１Ｂｃ、第２の記録層３２のランドトラック３２Ｂの第３のゾーン３２Ｂｃの順に割当てられる。
【００８８】
また、第１の記録層３１のグルーブトラック３１Ａおよびランドトラック３１Ｂの各ゾーンには、それぞれ光ディスク４００の内周から外周に向かう方向に情報が記録される。第２の記録層３２のグルーブトラック３２Ａおよびランドトラック３２Ｂの各ゾーンには、それぞれ光ディスク４００の外周から内周に向かう方向に情報が記録されている。
【００８９】
図５および図６を対比することで明らかなように、光ディスク４００の第１〜第３の各ゾーンは第１の記録層３１と第２の記録層３２との間で、互いにその位置が光ディスク４００の半径方向にずれていることを特徴としている。
【００９０】
すなわち、第２の記録層３２のグルーブトラック３２Ａの第１のゾーン３２Ａａおよびランドトラック３２Ｂの第１のゾーン３２Ｂａは、第１の記録層３１のグルーブトラック３１Ａの第１のゾーン３１Ａａおよびランドトラック３１Ｂの第１のゾーン３１ＢａよりもΔｒだけ光ディスク４００の外周寄りに配置される。
【００９１】
第２の記録層３２のグルーブトラック３２Ａの第２のゾーン３２Ａｂおよびランドトラック３２Ｂの第２のゾーン３２Ｂｂは、第１の記録層３１のグルーブトラック３１Ａの第２のゾーン３１Ａｂおよびランドトラック３１Ｂの第２のゾーン３１ＢｂよりもΔｒだけ光ディスク４００の外周寄りに配置される。
【００９２】
第２の記録層３２のグルーブトラック３２Ａの第３のゾーン３２Ａｃおよびランドトラック３２Ｂの第３のゾーン３２Ｂｃは、第１の記録層３１のグルーブトラック３１Ａの第３のゾーン３１Ａｃおよびランドトラック３１Ｂの第３のゾーン３１ＢｃよりもΔｒだけ光ディスク４００の外周寄りに配置される。
【００９３】
次に、光ディスク４００に記録された情報の読み取り方法について説明する。
【００９４】
まず、光ディスク４００を一定の方向に回転させつつ、ピックアップを光ディスク４００の内周から外周に向けて移動させることにより、ランドトラック３１Ａの第１のゾーン３１Ａａに記録された情報を所定の順序で読み取る。以下、光ディスク４００を同一方向に回転させ続ける。
【００９５】
次に、フォーカスジャンプによりピックアップの焦点を第１の記録層３１から第２の記録層３２に移動する。このとき、光ディスク４００ではグルーブトラック３２Ａの第１のゾーン３２Ａａの外周端がグルーブトラック３１Ａの第１のゾーン３１Ａａの外周端よりもΔｒだけ光ディスク４００の外周寄りにずれているので、フォーカスジャンプ時にピックアップの焦点が第２のゾーン３２Ａｂに誤って移動してしまうおそれがない。したがって、その後、ピックアップを光ディスク４００の外周に向けて微調することにより、グルーブトラック３２Ａの第１のゾーン３２Ａａに記録された情報を確実に読み取ることができる。もし、誤って３２Ａｂに移動した場合には、第１ゾーンと第２ゾーンとで規定回転数が異なる場合にアドレスを確認するためには回転数を第２のゾーンの規定値に制御する必要があり、誤ったことを確認するにも時間を要することになる。
【００９６】
次に、フォーカスジャンプによりピックアップの焦点を第２の記録層３２から第１の記録層３１に移動するとともに、トラッキングの極性を切換える。このとき、光ディスク４００ではランドトラック３１Ｂの第１のゾーン３１Ｂａの内周端がグルーブトラック３２Ａの第１のゾーン３２Ａａの内周端よりもΔｒだけ光ディスク４００の内周寄りにずれているので、フォーカスジャンプ時にピックアップの焦点が隣の鏡面３３またはリードインエリア３４に誤って移動してしまうおそれがない。したがって、その後、ピックアップを光ディスク４００の内周に向けて微調することにより、ランドトラック３１Ｂの第１のゾーン３１Ｂａに記録された情報を確実に読み取ることができる。
【００９７】
以上のように各トラックの第１ゾーンの情報を読み取った後、ピックアップを駆動して光ディスク４００の外周方向にスライドさせるとともに、フォーカスジャンプによりピックアップの焦点を第２の記録層２２から第１の記録層２１に移動する。以下、第２のゾーンおよび第３のゾーンに記録された情報を第１のゾーンと同様の手順に従って読み取る。上記のように、第２のゾーンおよび第３のゾーンは第１のゾーンと同様、第１の記録層３１と第２の記録層３２との間で、互いにその位置が光ディスク４００の半径方向にずれているので、第１の記録層３１と第２の記録層３２との間でフォーカスジャンプを行った場合に、ピックアップの焦点を隣接するゾーンに誤って移動させることなく、同一のゾーンに確実に移動させることができる。
【００９８】
以上のように、第１の記録層３１および第２の記録層３２のグルーブトラックおよびランドトラックに記録された情報は、光ディスク４００を同一方向に回転させつつ、ピックアップをディスクに対してディスクの半径方向に相対的に移動させることにより、物理アドレスの順序で読み取ることができる。また、各ゾーンの各トラックにおける記録方向が、物理アドレス順に、光ディスク４００の内周から外周へ向かう方向と、外周から内周へ向かう方向との間で繰り返されるので、ピックアップを光ディスク４００の半径方向にほとんど移動させることなく、フォーカスジャンプを行うことで読み取りトラックを切換えることができる。また、グルーブトラックあるいはランドトラックがなるべく連続するように物理アドレスを定めることにより、読み取りトラックの切換え時におけるトラッキング極性の切換え回数を減らすことができる。さらに、本実施形態では、第１の記録層３１および第２の記録層３２の各ゾーンの位置を互いにずらしているので、フォーカスジャンプの際にピックアップの焦点を所定の同一のゾーンに確実に移動させることができる。
【００９９】
第１の記録層３１および第２の記録層３２のグルーブトラックおよびランドトラックに記録される情報は、光ディスク４００を同一方向に回転させつつ記録ヘッドをディスクの半径方向に相対的に移動させることにより、例えば、物理アドレスに従った順序で記録することができる。
【０１００】
なお、図６では光ディスクを３つのゾーンに区画する場合を例示しているが、ゾーンの数はこれに限定されない。数十あるいは１００以上のゾーンに区画してもよい。
【０１０１】
−再生装置の実施形態−
以下、図３に示す情報記録再生装置を用いて、第３の実施形態の光記録媒体として示した光ディスク４００を再生する場合の動作例について説明する。
【０１０２】
図６に示す光ディスク４００を一定の方向に回転させつつ、トラッキングアクチュエータ５６を駆動してピックアップの焦点を第１のゾーンの内周端から外周端に向けて移動させることにより、グルーブトラック３１Ａの第１のゾーン３１Ａａの情報を読み取る。
【０１０３】
次に、フォーカスジャンプによりピックアップの焦点を第１の記録層３１から第２の記録層３２に移動させるが、このとき、光ディスク４００は第１の記録層３１と第２の記録層３２とでゾーン境界位置がΔｒだけ半径方向にずれて配置されているため、グループトラック３１Ａの第１のゾーン３１Ａａの終了時にグルーブトラック３２Ａの第１のゾーン３２Ａａにフォーカスジャンプするときに、第１のゾーン３２Ａａの外周端は第１のゾーン３１Ａａに比較してΔｒだけ外周へシフトしているため、ジャンプ後に同一ゾーンに確実に焦点を合せることが可能である。その後、ピックアップを光ディスク４００の外周から内周方向に移動させることにより、グルーブトラック３２Ａの第１のゾーン３２Ａａの情報を読み取る。
【０１０４】
次に、フォーカスジャンプによりピックアップの焦点を第２の記録層３２から第１の記録層３１に移動するとともにトラッキングの極性を切り替える。このとき、光ディスク４００は第２の記録層３２と第１の記録層３１とでゾーン境界位置がΔｒだけ半径方向にずれて配置されているため、グルーブトラック３２Ａの第１のゾーン３２Ａａの終了時にランドトラック３１Ｂの第１のゾーン３１Ｂａにフォーカスジャンプするときに、第１のゾーン３１Ｂａの内周端は第１のゾーン３２Ａａに比較してΔｒだけ内周へシフトしているため、ジャンプ後に同一ゾーンに確実に焦点を合せることが可能である。その後、ピックアップを光ディスク４００の内周から外周方向に移動させることにより、ランドトラック３１Ｂの第１のゾーン３１Ｂａの情報を読み取る。
【０１０５】
次に、フォーカスジャンプによりピックアップの焦点を第１の記録層３１から第２の記録層３２に移動させるが、このとき、光ディスク４００は第１の記録層３１と第２の記録層３２とでゾーン境界位置がΔｒだけ半径方向にずれて配置されているため、ランドトラック３１Ｂの第１のゾーン３１Ｂａの終了時にランドトラック３２Ｂの第１のゾーン３２Ｂａにフォーカスジャンプするときに、第１のゾーン３２Ｂａの外周端は第１のゾーン３１Ｂａに比較してΔｒだけ外周へシフトしているため、ジャンプ後に同一ゾーンに確実に焦点を合せることが可能である。その後、ピックアップを光ディスク４００の外周から内周方向に移動させることにより、ランドトラック３２Ｂの第１のゾーン３２Ｂａの情報を読み取る。
【０１０６】
以上のように各トラックの第１ゾーンの情報を読み取った後、ピックアップを光ディスク４００の外周方向にスライドさせ、フォーカスジャンプによりピックアップの焦点を第２の記録層３２から第１の記録層３１に移動させることにより、第２のゾーンおよび第３のゾーンに記録された情報を第１のゾーンと同様の手順に従って読み取る。
【０１０７】
一般に、光ディスクを複数の記録層を積層して構成する場合、記録層の貼り合わせ精度はそれほど高くないため、光ディスクの半径方向に対して同一位置に位置付けられるべき同一ゾーンが記録層間でずれる可能性がある。同一ゾーンの位置がずれていると、ピックアップをスライドさせずにフォーカスジャンプをした場合、ピックアップの焦点が隣のゾーン等に移行してしまう可能性がある。
【０１０８】
これに対して、本実施形態の再生装置では同一ゾーン内における記録層間のフォーカスジャンプ時に、ピックアップを所定量だけスライドさせるようにしたので、フォーカスジャンプにより隣のゾーンにピックアップの焦点を移動させる誤動作を防止できる。
【図面の簡単な説明】
【図１】第１の実施形態の光記録媒体としての光ディスクの記録層の構成を模式的に示す図。
【図２】各記録層の構成を模式的に示す図。
【図３】情報記録再生装置の構成を示すブロック図。
【図４】第２の実施形態の光記録媒体としての光ディスクの記録層の構成を模式的に示す図。
【図５】第３の実施形態の光記録媒体としての光ディスクの記録層の構成を模式的に示す図。
【図６】第４の実施形態の光記録媒体としての光ディスクの記録層の構成を模式的に示す図。
【符号の説明】
１      第１の記録層
１Ａ    グルーブトラック
１Ｂ    ランドトラック
２      第２の記録層
２Ａ    グルーブトラック
２Ｂ    ランドトラック
３      第３の記録層（第２の記録層）
３Ａ    グルーブトラック
３Ｂ    ランドトラック
４      第４の記録層
４Ａ    グルーブトラック
４Ｂ    ランドトラック
２１    第１の記録層
２１Ａ    グルーブトラック
２１Ｂ    ランドトラック
２２    第２の記録層
２２Ａ    グルーブトラック
２２Ｂ    ランドトラック
３１      第１の記録層
３１Ａ    グルーブトラック
３１Ｂ    ランドトラック
３２      第２の記録層
３２Ａ    グルーブトラック
３２Ｂ    ランドトラック
５１      ピックアップ
５５      駆動回路（駆動装置）
【図１】
0004185659.tif 000002
【図２】
0004185659.tif 000003
【図３】
0004185659.tif 000004
【図４】
0004185659.tif 000005
【図５】
0004185659.tif 000006
【図６】
0004185659.tif 000007